(57)【要約】【課題】  部品点数を増加させることなく比較的サイズの小さい原稿を所定の位置に載置することのできるスキャナ装置を提供する。【解決手段】  スキャナ装置１では、スキャナ本体２に原稿を載置するガラス板５が装着されている。そのガラス板５を覆うように開閉可能にカバー部材３が取り付けられている。カバー部材５の周部には、写真サイズ等の比較的サイズの小さい原稿の大きさに対応した切欠き部３ａが設けられている。そのような原稿をガラス板５に載置する状態では、切欠き部３ａは、ガラス板５において原稿を載置すべき領域を露出する。原稿を読み取る状態では、カバー部材３はガラス板５を覆い切欠き部３ａに操作パネル７が嵌合する。カバー部材３は、原稿を載置する状態と読み取る状態との間を、ガラス板５を覆った状態でガラス板５に対して一方向にスライド可能とされる。【選択図】        図１
2006014023.tif 000002
【特許請求の範囲】
【請求項１】
画像を読み取るためのスキャナ本体と、
前記スキャナ本体に装着され、所定の第１のサイズの原稿と前記第１のサイズよりも小さい第２のサイズの原稿を載置するためのガラス板と、
前記ガラス板を覆うように開閉可能に取り付けられるとともに、前記ガラス板を覆った状態で前記ガラス板に対して一方向にスライド可能に前記スキャナ本体に取り付けられたカバー部材と、
前記カバー部材の周部に設けられ、前記第２のサイズの原稿の大きさに対応した切欠き部と、
前記ガラス板の側方に前記切欠き部に対応する大きさに形成され、前記スキャナ本体を操作するための操作パネル部と
を備え、
前記カバー部材は、
原稿を前記ガラス板上に載置する第１の状態では、前記第２のサイズの原稿を載置する際のガイドとして前記切欠き部が前記第２のサイズの原稿を前記ガラス板における載置すべき領域を閉じた状態で露出するように位置し、
載置された原稿を読み取る第２の状態では、載置された前記第２のサイズの原稿を含めて前記ガラス板の全面を覆うとともに、前記カバー部材の前記切欠き部に前記操作パネルが嵌合するように位置し、
前記カバー部材は、前記第１の状態と前記第２の状態との間をスライド可能とされた、スキャナ装置。
【請求項２】
画像を読み取るためのスキャナ本体と、
前記スキャナ本体に装着され、所定の第１のサイズおよび前記第１のサイズよりも小さい第２のサイズの原稿をそれぞれ所定の位置に載置するための原稿載置板と、
前記原稿載置板を覆うように開閉可能に前記スキャナ本体に取り付けられたカバー部材と、
前記カバー部材に設けられた切欠き部と
を備え、
前記カバー部材は、前記第２のサイズの原稿を載置する第１の状態では、閉じられた状態で前記第２のサイズの原稿を載置する際のガイドとして前記切欠き部が前記第２のサイズの原稿を前記原稿載置板における載置すべき領域を露出するように位置する、スキャナ装置。
【請求項３】
前記カバー部材は、載置された前記第２のサイズの原稿を読み取る第２の状態では、前記原稿載置板の全面を覆うように位置し、
前記カバー部材は、閉じられた状態で前記第１の状態と前記第２の状態との間を一方向にスライド可能に前記スキャナに取り付けられた、請求項２記載のスキャナ装置。
【請求項４】
前記スキャナ本体を操作するための操作パネル部を備え、
前記操作パネル部は、前記第２の状態において前記切欠き部に嵌合するように前記ガラス板の側方に配設された、請求項２または３に記載のスキャナ装置。
【請求項５】
前記カバー部材は、前記第１のサイズの原稿を前記原稿載置板に載置する第３の状態では開けられた状態とされる、請求項２〜４のいずれかに記載のスキャナ装置。
【発明の詳細な説明】
【技術分野】
【０００１】
本発明はスキャナ装置に関し、特に、サイズの異なる原稿を読み取るスキャナ装置に関するものである。
【背景技術】
【０００２】
文字や絵などの画像を読み取って電子データとするためにスキャナ装置が使用されている。スキャナ装置では、文字等が書かれた原稿を載置するためのガラス板が配設されている。原稿をスキャンする際には、ガラス板に原稿を載置することになる。このとき、原稿の大きさに応じた所定の位置に原稿を載置する必要がある。原稿のサイズとして、一般的なＡ４版やＢ５版の原稿の他に、はがきサイズや写真サイズなどの比較的サイズの小さい原稿がある。特に、このような比較的サイズの小さい原稿をガラス板の上に載置する際には、原稿をガラス板のどの位置に合わせればよいのか戸惑う場合がある。
【０００３】
これを解消するために、ガラス板を覆うカバーにおいて小さいサイズの原稿を載置すべき位置に対応する部分に蓋を設けたスキャナ装置がある。このようなスキャナ装置では、、蓋を開けることによってガラス板において小さいサイズの原稿を載置するべき位置が露出し、原稿を所定の位置に容易に載置することができる。
【０００４】
また、たとえば特許文献１には、ガラス板を覆うカバーとして第１のカバーと第２のカバとを備えたスキャナ装置が提案されている。図９に示すように、スキャナ装置１０１には、スキャナ本体１０２に開閉可能に第１のカバー１０３ａが取り付けられ、さらに、この第１のカバー１０３ａに回動可能に第２のカバー１０３ｂが取り付けられている。
【０００５】
Ａ４版等の比較的大きいサイズの原稿は、図１０に示すように、第１のカバー１０３ａと第２のカバー１０３ｂの双方を開けて、ガラス板１０５に載置されることになる。一方、はがきサイズのような比較的小さいサイズの原稿は、図１１に示すように、第２のカバー１０３ｂだけを開けてガラス板１０５に載置されることになる。従来のスキャナ装置は上記のように構成される。
【特許文献１】特開２０００−２２４３５９号公報
【発明の開示】
【発明が解決しようとする課題】
【０００６】
しかしながら、従来のスキャナ装置では次のような問題点があった。上述したように、Ａ４版やＢ５版の原稿を読み取る他に、はがきサイズや写真サイズなどの比較的サイズの小さい原稿を読み取る際に原稿を載置すべき位置を容易にするため、ガラス板を覆うカバーに蓋を設けたり、複数のカバーを設ける必要があった。そのため、部品点数が増えてしまい、生産コストの削減を妨げる要因となっていた。
【０００７】
本発明は上記問題点を解決するためになされたものであり、その目的は、部品点数を増加させることなく比較的サイズの小さい原稿を所定の位置に載置することのできるスキャナ装置を提供することである。
【課題を解決するための手段】
【０００８】
本発明に係るスキャナ装置は、画像を読み取るためのスキャナ本体とガラス板とカバー部材と切欠き部と操作パネル部とを備えている。ガラス板はスキャナ本体に装着され、所定の第１のサイズの原稿と第１のサイズよりも小さい第２のサイズの原稿が載置される。カバー部材はガラス板を覆うように開閉可能に取り付けられるとともに、ガラス板を覆った状態でガラス板に対して一方向にスライド可能にスキャナ本体に取り付けられている。切欠き部はカバー部材の周部に設けられ、第２のサイズの原稿の大きさに対応している。操作パネル部はガラス板の側方に切欠き部に対応する大きさに形成され、スキャナ本体を操作する。カバー部材は、原稿をガラス板上に載置する第１の状態では、第２のサイズの原稿を載置する際のガイドとして切欠き部が第２のサイズの原稿をガラス板における載置すべき領域を閉じた状態で露出するように位置し、載置された原稿を読み取る第２の状態では、載置された第２のサイズの原稿を含めてガラス板の全面を覆うとともに、カバー部材の切欠き部に操作パネルが嵌合するように位置する。そのカバー部材は、第１の状態と第２の状態との間をスライド可能とされている。
【０００９】
この構成によれば、カバー部材の周部には、より小さい第２のサイズの原稿の大きさに対応した切欠き部が設けられ、そのような原稿をガラス板に載置する第１の状態では、切欠き部は、その原稿を載置する際のガイドとしてガラス板において原稿を載置すべき領域を露出することになる。これにより、より小さい第２のサイズの原稿をガラス板における所定の位置に容易に載置することができる。しかも、これをカバー部材に第２のサイズの原稿の大きさに対応した切欠き部を設けるだけで達成することができ、生産コストの上昇を抑えることができる。
【００１０】
本発明に係る他のスキャナ装置は、画像を読み取るためのスキャナ本体と原稿載置板とカバー部材と切欠き部とを備えている。原稿載置板はスキャナ本体に装着され、所定の第１のサイズおよび第１のサイズよりも小さい第２のサイズの原稿をそれぞれ所定の位置に載置する。カバー部材は、原稿載置板を覆うように開閉可能にスキャナ本体に取り付けられている。切欠き部はカバー部材に設けられている。カバー部材は、第２のサイズの原稿を載置する第１の状態では、閉じられた状態で第２のサイズの原稿を載置する際のガイドとして切欠き部が第２のサイズの原稿を原稿載置板における載置すべき領域を露出するように位置する。
【００１１】
この構成によれば、カバー部材に切欠き部が設けられ、より小さい第２のサイズの原稿をガラス板に載置する第１の状態では、切欠き部は、その原稿を載置する際のガイドとしてガラス板において原稿を載置すべき領域をカバー部材が閉じられた状態で露出することになる。これにより、より小さい第２のサイズの原稿をガラス板における所定の位置に容易に載置することができる。しかも、これをカバー部材に切欠き部を設けるだけで達成することができ、生産コストの上昇を抑えることができる。
【００１２】
そのカバー部材は、載置された第２のサイズの原稿を読み取る第２の状態では、原稿載置板の全面を覆うように位置し、カバー部材は、閉じられた状態で第１の状態と第２の状態との間を一方向にスライド可能にスキャナに取り付けられていることが好ましい。
【００１３】
これにより、カバー部材をスライドさせるだけで第２のサイズの原稿を原稿載置板に載置して読み取ることができる。
【００１４】
また、スキャナ本体を操作するための操作パネル部を備え、その操作パネル部は、第２の状態において切欠き部に嵌合するようにガラス板の側方に配設されていることが好ましい。
【００１５】
これにより、カバー部材に切欠き部を設けたことによるデザイン上の違和感が少なくなる。
【００１６】
なお、スキャナ装置では、第１のサイズの原稿を載置する第３の状態では、カバー部材は開けられた状態で載置されることが好ましい。
【発明を実施するための最良の形態】
【００１７】
本発明の実施の形態に係るスキャナ装置について説明する。図１および図２に示すように、スキャナ装置１では、画像を読み取るためのスキャナ本体２に原稿を載置するガラス板５が装着されている。スキャナ本体２には、そのガラス板５を覆うように開閉可能にカバー部材３が取り付けられている。そのカバー部材３は、後述するように、原稿をガラス板５上に載置する状態と載置された原稿を読み取る状態との間を、ガラス板５を覆った状態でガラス板５に対して一方向にスライド可能にスキャナ本体２に取付けられている。カバー部材５の周部には、写真サイズ等の比較的サイズの小さい原稿の大きさに対応した切欠き部３ａが設けられている。
【００１８】
ガラス基板５の側方には、スキャナ本体２を操作するための操作パネル７が設けられている。操作パネル７は切欠き部３ａに対応する大きさに形成されている。スタンバイや原稿を読み取る状態では、操作パネル７は切欠き部３ａに嵌合している。一方、比較的サイズの小さい原稿をガラス板５に載置する状態では、切欠き部３ａは、その原稿を載置する際のガイドとしてガラス板５において原稿を載置すべき領域５ａを露出することになる。
【００１９】
次に、上述したスキャナ装置１の動作について説明する。まず、スタンバイ状態では、図３および図４に示すように、カバー部材３はガラス板５の前面を覆うように閉じられている。また、カバー部材３の切欠き部３ａと操作パネル７とが互いに嵌合している。次に、比較的サイズの小さい原稿を読み取るために、図５および図６に示すように、カバー部材３を矢印１１に示す方向にスライドさせる。カバー部材３をスライドさせることで、切欠き部３ａによってガラス板５において原稿を載置すべき領域５ａが露出する。露出したガラス板５の領域５ａに、切欠き部３ａをガイドとして原稿９を載置する。
【００２０】
次に、図７に示すように、カバー部材３を矢印１２に示す方向にスライドさせて、ガラス板５に載置された原稿９を含むガラス板５の全体を覆うようにする。この状態で、操作パネル７によって原稿９の読み取り（スキャン）を開始する。
【００２１】
原稿の読み取りが完了すると、図８に示すように、カバー部材３を矢印１１に示す方向にスライドさせてガラス板５に載置された原稿９を露出させ、原稿９をガラス板５から取り除く。原稿を取り除いた後、新たな原稿があれば、上述した操作を繰り返すことで原稿の読み取りを行なうことができる。すべての原稿の読み取りが完了すると、カバー部材３をスライドさせて図３に示すスタンバイ状態とする。このようにして一連の原稿読み取り動作が完了する。
【００２２】
上述したスキャナ装置では、カバー部材５の周部には、写真サイズ等の比較的サイズの小さい原稿の大きさに対応した切欠き部３ａが設けられている。そのような原稿をガラス板５に載置する状態では、切欠き部３ａは、その原稿を載置する際のガイドとしてガラス板５において原稿を載置すべき領域を露出することになる。
【００２３】
これにより、比較的サイズの小さい原稿をガラス板５における所定の位置に容易に載置することができる。しかも、従来のスキャナ装置のような付加的な蓋やカバー部材を設ける必要がなく、カバー部材３に小さい原稿のサイズに対応した切欠き部３ａを設けるだけで生産コストの上昇を抑えることができる。
【００２４】
また、スタンバイや原稿を読み取る状態では、カバー部材３に設けた切欠き部３ａに操作パネル７が嵌合することで、カバー部材３に切欠き部３ａを設けたことによるデザイン上の違和感も少なくなる。
【００２５】
なお、上述したスキャナ装置１では、Ａ４版やＢ５版等のサイズの原稿については、特にカバー部材３をスライドさせることなく、カバー部材３を開けた状態で原稿がガラス基板５に載置され、載置された原稿を覆うようにカバー部材３を閉じた状態で原稿の読み取りが行なわれる。
【００２６】
今回開示された実施の形態はすべての点で例示であって制限的なものではない。本発明は上記で説明した範囲ではなく、特許請求の範囲によって示され、特許請求の範囲と均等の意味および範囲でのすべての変更が含まれることが意図される。
【図面の簡単な説明】
【００２７】
【図１】本発明の実施の形態に係るスキャナ装置を示す第１の斜視図である。
【図２】同実施の形態において、スキャナ装置を示す第２の斜視図である。
【図３】同実施の形態において、スキャナ装置のスタンバイの状態を示す平面図である。
【図４】同実施の形態において、スタンバイ状態のスキャナ装置を示す正面図である。
【図５】同実施の形態において、原稿を載置する状態のスキャナ装置を示す平面図である。
【図６】同実施の形態において、原稿を載置する状態のスキャナ装置を示す正面図である。
【図７】同実施の形態において、原稿を読み取る状態のスキャナ装置を示す平面図である。
【図８】同実施の形態において、原稿を取り除く状態のスキャナ装置を示す平面図である。
【図９】従来のスキャナ装置を示す斜視図である。
【図１０】従来のスキャナ装置による第１の原稿を載置する状態を示す斜視図である。
【図１１】従来のスキャナ装置による第２の原稿を載置する状態を示す斜視図である。
【符号の説明】
【００２８】
１  スキャナ装置、２  スキャナ本体、３  カバー部材、３ａ  切欠き部、５  ガラス板、５ａ  領域、７  操作パネル、９  原稿。
【図１】
2006014023.tif 000003
【図２】
2006014023.tif 000004
【図３】
2006014023.tif 000005
【図４】
2006014023.tif 000006
【図５】
2006014023.tif 000007
【図６】
2006014023.tif 000008
【図７】
2006014023.tif 000009
【図８】
2006014023.tif 000010
【図９】
2006014023.tif 000011
【図１０】
2006014023.tif 000012
【図１１】
2006014023.tif 000013